(57)【要約】【課題】  表面にシステムキッチンなど構築物と同一材料で形成された化粧面材を取り付けることを可能にしたプルオープン型の食器洗浄機を提供する。【解決手段】  前方に開口する洗浄機本体４の前方開口部から出し入れできるようにした洗浄槽３の前方に前板部７を設け、前板部７の前面上部に操作パネル５を構成し、その下部に化粧面材６を取り付けて扉２を形成する。化粧面材６は食器洗浄機１をビルトインするシステムキッチンなど構築物の表面材と同一の材料を適用するので表面材の変更により化粧面材６の厚さ変化が生じるが、化粧面材６は取付位置調整可能に前板部７に取り付けられるので、扉２を閉じて洗浄槽３を洗浄機本体４内に押し入れた状態において、表面が周囲の構築物の表面と同一平面上に位置するようにすることにより、キッチンとしての統一感が得られる。【選択図】  図２
2005253825.tif 000002
【特許請求の範囲】
【請求項１】
前方に開口する箱状に形成された洗浄機本体内に、上方に開口する洗浄槽が前記洗浄機本体の前方開口部から前後方向に出し入れできるように収容されてなる食器洗浄機であって、前記洗浄槽の前方に前板部を設け、この前板部の前面に前後方向の位置調整可能に化粧面材が取り付けられてなることを特徴とする食器洗浄機。
【発明の詳細な説明】
【技術分野】
【０００１】
本発明は、システムキッチンや流し台下などにビルトインされ、洗浄槽を前後に進退移動させて食器類を出し入れするプルオープン型の食器洗浄機に関するものである。
【背景技術】
【０００２】
ビルトイン型の食器洗浄機は、図６に示すように、多くはシステムキッチンを構成するキッチンカウンタＫの下にビルトインされる。キッチンカウンタＫの下には引き出し式の収納部Ｌや開き戸式の収納部Ｍなどのシステムキッチン構築物が設けられ、オーブンレンジＮや食器洗浄機Ａがビルトインされるのが一般的な設置形態である。このようなシステムキッチンでは、キッチンカウンタＫの下に構築される収納部Ｌ、Ｍなどシステムキッチン構築物の表面材は、その素材や色調、図柄が統一され、表面位置が同一平面上になるようにした美麗な外観に仕上られている。これに合わせて食器洗浄機ＡやオーブンレンジＮの表面も同一の色調、図柄に形成され、その表面がシステムキッチン構築物と同一位置になるようにして統一感が得られるようにしている。
【０００３】
しかし、洗浄槽５１を前方に引き出して食器類を出し入れするプルオープン型の食器洗浄機Ａの表面となる扉５０は洗浄槽５１の前方に取り付けられ、表面には操作パネル５２、内側には運転制御のための制御部や乾燥空気の循環路などが設けられ、その構造上から操作パネル５２の下に位置する表面材は前記システムキッチン構築物の表面材と同一の面材を用いることができず、色調及び図柄を構築物の表面材と同一にした扉表面材５０ａが取り付けられ、その周囲には扉表面材５０ａの切断面を被覆して枠材５０ｂが取り付けられている。このような構造の食器洗浄機Ａをビルトインして、洗浄槽５１を押し入れて扉５０を閉じた状態にすると、図６（ｂ）に示すように、周囲の構造物の表面と異なり、食器洗浄機Ａだけが枠材５０ｂで囲まれた表面形態となり、システムキッチン全体の統一感を損なう感じになるため、露出表面に周囲の構築物と同一の面材を取り付けることが望まれていた。
【０００４】
上記要求を満たすべく、扉の操作パネル下の表面に周囲のシステムキッチン構築物と同一の面材を取り付けることを可能とした食器洗浄機が知られている（特許文献１参照）。この食器洗浄機は、面材を取り付けることを可能とした場合に、配管接続やメンテナンス時に面材が障害となって、それらの作業時に面材を取り外し、再び取り付ける手間を省くため、面材をヒンジ構造によって開閉できるようにしている。
【特許文献１】特開平０８−２０６０５１号公報（第２〜３頁、図１）
【発明の開示】
【発明が解決しようとする課題】
【０００５】
しかしながら、上記従来技術に係る食器洗浄機はフロントオープン型と称され、扉を上下に回動させることにより食器カゴが引き出されるように構成されたもので、本発明が対象とするプルオープン型とは構造が大幅に異なる。フロントオープン型の食器洗浄機は、食器洗浄機本体内に洗浄槽を形成し、扉は洗浄槽の前方開口部を閉じる洗浄槽の一部を形成している。一方、プルオープン型の食器洗浄機は、上方に開口する洗浄槽５１の前方に設けられた扉５０は、洗浄槽５１を洗浄機本体内に押し込んだとき洗浄機本体の前面開口部を閉じ、扉５０の裏面には操作パネル５２に接続された制御回路などの電装品が配設された構成要素取付部材を構成している。従って、プルオープン型の食器洗浄機に面材を取り付けるのは困難であった。
【０００６】
また、システムキッチン構築物の表面材は、外観意匠の設計に応じて様々な種類のものが適用されるので、表面材の厚さに変更があり、その表面材と同一材料の面材を食器洗浄機に適用すると、システムキッチン構築物の表面位置と食器洗浄機の表面位置とが一致せず、食器洗浄機をシステムキッチンにビルトインしたときに統一感を損なう恐れがある。
【０００７】
本発明が目的とするところは、洗浄機本体から洗浄槽を引き出すプルオープン型の食器洗浄機の露出表面にキッチンシステムなどの構築物と同一の面材を取り付けることを可能にした食器洗浄機を提供することにある。
【課題を解決するための手段】
【０００８】
上記目的を達成するための本発明は、前方に開口する箱状に形成された洗浄機本体内に、上方に開口する洗浄槽が前記洗浄機本体の前方開口部から前後方向に出し入れできるように収容されてなる食器洗浄機であって、前記洗浄槽の前方に前板部を設け、この前板部の前面に前後方向の位置調整可能に化粧面材が取り付けられてなることを特徴とするものである。
【０００９】
上記構成によれば、洗浄槽の前方に設けられた前板部には、洗浄槽との間に形成される空間に電装品などを収容して取り付けることができるので、前板部の前面を化粧面材の取付面として利用することができる。前記化粧面材は食器洗浄機をビルトインするシステムキッチンなどの構築物の表面に装着される表面材と同一材料とすることにより、周囲に構築されたキッチン構築物との統一感を得ることができる。キッチンシステムなどの構築物の表面材は、その種類によって厚さが異なり、化粧面材に同一材料を適用するとキッチンシステムなど構築物の表面位置と差が生じるので、化粧面材の前後方向の位置を調整可能にすることにより、表面材の材料が変更されても化粧面材の表面位置を構築物の表面位置に合わせることができる。
【発明の効果】
【００１０】
本発明によれば、システムキッチンなどにビルトインしたプルオープン型の食器洗浄機の表面にシステムキッチンなどの構築物の表面材と同一の化粧面材を取り付けるとき、前後方向の位置を調整できるので、表面材の変更があっても構築物の表面位置に化粧面材の表面位置を一致させることができ、キッチン全体の統一感を得ることができる。
【発明を実施するための最良の形態】
【００１１】
図１は、本実施形態に係る食器洗浄機１をシステムキッチンを構成するキッチンカウンタＫの下にビルトインした状態を示すもので、食器洗浄機１の扉２の表面には操作パネル５が設けられ、その下方にはキッチンカウンタＫの下に配置されたシステムキッチン構築物の表面材と同一の素材で色調、図柄を同一にした化粧面材６が取り付けられている。従って、食器洗浄機１をビルトインしてシステムキッチンを構成したときに周囲のシステムキッチン構築物との統一感が得られ、美麗な外観のシステムキッチンに構成することができる。
【００１２】
前記食器洗浄機１は、図２に示すように、前方に開口する箱状に形成された洗浄機本体４内に、上方に開口する洗浄槽３を洗浄機本体４の前方開口部から前後に進退移動させ、前方に引き出して上方に開口する洗浄槽３から食器類を出し入れすることができるようにしたプルオープン型に構成されている。
【００１３】
前記洗浄機本体４には給水、排水の配管接続及び電源接続がなされ、前記洗浄槽３には洗浄機本体４から給水弁１１、給水ポンプ１２、給水パイプ１３を通じて給水接続がなされ、洗浄槽３の底面に配設されて回転駆動される洗浄ノズル１４から洗剤を混入させた洗浄水又はすすぎ水を噴射させて食器カゴ１５に収容した食器類１６を洗浄する。この洗浄槽３は、その外側面に取り付けられた第２のスライドレール１８を洗浄機本体４の内側面に取り付けられた第１のスライドレール１７上でスライドさせることにより、洗浄機本体４の前方開口部から出し入れすることができる。洗浄槽３を洗浄機本体４内に押し入れたときには、洗浄層３の上方開口部は内蓋１９によって密閉され、洗浄する水が外部に飛散しないようにしている。
【００１４】
前記洗浄槽３の前方には、洗浄槽３の幅と略同一の幅に形成された前板部７が設けられ、前板部７の前面には上方に操作パネル５を設け、下方に化粧面材６を設けた扉２が取り付けられる。前記操作パネル５には、洗浄槽３を洗浄機本体４内に収納したとき、収納状態に保持するロック機構を解除して洗浄槽３の引き出しを可能にするロック解除レバーや、食器乾燥時の乾燥空気の排気口、食器洗浄機１の運転を操作する操作入力ボタンなどが設けられている。この操作パネル５の下端に上端を接するようにして前板部７に化粧面材６が取り付けられる。
【００１５】
扉２を構成する操作パネル５及び化粧面材６は、図３に示すように、洗浄機本体４の前面を覆うことができる幅に形成されているので、ビルトインされた食器洗浄機１の扉２を閉じる、即ち洗浄槽３を洗浄機本体４に収納した状態において、図２に示すように、前板部７は洗浄機本体４の前方開口部内に入り、扉２は洗浄機本体４の前方開口部を閉じ、図１に示すように、周囲のシステムキッチン構築物との間に所定の間隙を隔ててシステムキッチンの構築物中に統一感のある状態に設置される。
【００１６】
前記化粧面材６は、キッチンカウンタＫの下に構築された引き出し式の収納部Ｌや開き戸式の収納部Ｍ、あるいは固定されたパネルなどシステムキッチン構築物の表面材と同一素材、同一色調、同一図柄に形成され、それぞれの表面位置が同一面上に位置するように取り付けられる。
【００１７】
化粧面材６を取り付ける前板部７は、図４に示すように、洗浄槽３の前面上方から前方に延出形成された操作パネル取付部８と、洗浄槽３の前面下方から前方に延出形成された前板取付部９との間に、洗浄槽３の前面外壁との間に空間を形成して取り付けられる。前記操作パネル取付部８には表面から操作パネル５が取り付けられ、その内側の洗浄槽３との間に形成される空間にスイッチ類を収容した電装品収容部２０が取り付けられる。前記前板取付部８には、洗浄槽３と略同一幅に形成された前板部７が取り付けられ、洗浄槽３の前面外壁との間に形成される空間には、制御回路を構成した回路基板などを収容した制御回路収容部２１や洗浄槽３内に乾燥用空気を循環させるエアダクトなどが配設される。
【００１８】
システムキッチンが構築されるとき、システムキッチン構築物の表面デザインは多様になされ、その素材、色調、図柄も様々に採用されるので、表面材の厚さは一様ではない。キッチンシステム構築物の表面材に合わせて食器洗浄機１の化粧面材６を変更することになるので、化粧面材６の厚さ変化に対応できる取付構造が設けられている。
【００１９】
図５に示すように、化粧面材６の裏面に断面形状がＬの字状に形成され、長穴３０ａが形成された一対の取付金具３０を取り付け、この取付金具３０を前板部７の両側面にネジ止めすることにより、化粧面材６は前板部７に取り付けられる。化粧面材６を前板部７に取り付けるとき、図５（ａ）（ｂ）に示すように、化粧面材６の表面位置を操作パネル５の表面位置に一致もしくは低い位置になるように所定取付位置に設定すると、化粧面材６の厚さ変化に応じて前板部７に形成されたネジ穴に螺入する取付ネジ３０ｂの長穴３０ａを通過する位置が変化するので、化粧面材６の厚さ変化によって取付ネジ３０ｂによる固定位置を変更することが可能であり、化粧面材６の厚さ変更によっても表面位置を一定にすることができる。
【００２０】
尚、本実施形態の構成においては、化粧面材６に取付金具３０を取り付けているが、前板部７側に取付金具３０を化粧面材６の厚さに対応した位置に取り付けておき、前板部７側から化粧面材６を固定するように構成することもできる。
【産業上の利用可能性】
【００２１】
以上の説明の通り本発明によれば、システムキッチンなど構築物の表面材と同一の材料で形成された化粧面材を扉に取り付けることができ、前記表面材の種類が変更されて、その厚さが変化したときにも厚さ変化を吸収する取付構造が設けられているので、システムキッチンなどにビルトインしたとき、周囲の構築物の表面材との統一感が得られ、一体化された美麗な外観のキッチンを構成する食器洗浄機を提供することができる。
【図面の簡単な説明】
【００２２】
【図１】実施形態に係る食器洗浄機をビルトインしたキッチンシステムの例を示す斜視図。
【図２】実施形態に係る食器洗浄機の構成を示す断面図。
【図３】同上食器洗浄機の前面構成を示す正面図。
【図４】洗浄槽に対する前板部、化粧面材の取り付け状態を示す断面図。
【図５】化粧面材の取付位置調整可能な取付構造を示す側面図。
【図６】従来技術に係る食器洗浄機をシステムキッチンにビルトインした状態を示す斜視図。
【符号の説明】
【００２３】
１  食器洗浄機
２  扉
３  洗浄槽
４  洗浄機本体
５  操作パネル
６  化粧面材
７  前板部
２９  化粧パネル
３０  取付金具
【図１】
2005253825.tif 000003
【図２】
2005253825.tif 000004
【図３】
2005253825.tif 000005
【図４】
2005253825.tif 000006
【図５】
2005253825.tif 000007
【図６】
2005253825.tif 000008